(57)【要約】【課題】各緑色画素セルが同一の充電条件下でデータを受けることで、スーパーピクセルグレーパターン下での画質不良を防止できる液晶表示装置及びその駆動方法を提供する。【解決手段】マトリックス形状で配列された多数の単位画素ＰＸＬが形成された液晶パネル２００と、各単位画素ごとに形成された赤色、緑色及び青色画素セルＲ、Ｇ、Ｂと、互いに隣接した各単位画素がブラックとホワイトを表示するように、各単位画素の各画素セルにデータを供給するデータ駆動部ＤＤと、ホワイトを表示するための単位画素内の緑色画素セルが、自身に接続されたデータラインがブラックを表示する単位画素内の画素セルに該当するデータによって先に充電された条件下で、自身に該当するデータを受けるように、各単位画素内の各画素セルを駆動するゲート駆動部ＧＤとを含んで液晶表示装置を構成する。【選択図】図２
2008268867.tif 000002
【特許請求の範囲】
【請求項１】
マトリックス形状で配列された多数の単位画素が形成された液晶パネルと、
前記各単位画素ごとに形成された赤色、緑色及び青色画素セルと、
互いに隣接した各単位画素がブラックとホワイトを表示するように、前記各単位画素の各画素セルにデータを供給するデータ駆動部と、
ホワイトを表示するための単位画素内の緑色画素セルが、自身に接続されたデータラインがブラックを表示する単位画素内の画素セルに該当するデータによって先に充電された条件下で、自身に該当するデータを受けるように、前記各単位画素内の各画素セルを駆動するゲート駆動部と
を含むことを特徴とする液晶表示装置。
【請求項２】
前記液晶パネルは、前記青色、緑色及び赤色画素セルが配列された多数の画素行と、
前記各画素行の上側に位置し、前記ゲート駆動部に接続された上部ゲートラインと、
前記各画素行の下側に位置し、前記ゲート駆動部に接続された下部ゲートラインと
を含むことを特徴とする請求項１に記載の液晶表示装置。
【請求項３】
前記各画素行に配列された各画素セルのうち第１２ｃ＋１画素セル（ｃは、０を含む自然数）、第１２ｃ＋４画素セル、第１２ｃ＋５画素セル、第１２ｃ＋８画素セル、第１２ｃ＋９画素セル及び第１２ｃ＋１２画素セルが前記上部ゲートラインに共通に接続され、第１２ｃ＋２画素セル、第１２ｃ＋３画素セル、第１２ｃ＋６画素セル、第１２ｃ＋７画素セル、第１２ｃ＋１０画素セル及び第１２ｃ＋１１画素セルが前記下部ゲートラインに共通に接続され、
前記各画素行に配列された各画素セルのうち第２ｃ−１画素セルと第２ｃ画素セルが１つのデータラインに共通に接続され、
前記第１２ｃ＋１、第１２ｃ＋４、第１２ｃ＋７、第１２ｃ＋１０画素セルが赤色画素セルに相当し、前記第１２ｃ＋２、第１２ｃ＋５、第１２ｃ＋８、第１２ｃ＋１１画素セルが緑色画素セルに相当し、前記第１２ｃ＋３、第１２ｃ＋６、第１２ｃ＋９、第１２ｃ＋１２画素セルが青色画素セルに相当することを特徴とする請求項２に記載の液晶表示装置。
【請求項４】
前記ゲート駆動部は、互いに隣接した第１〜第４画素行の赤色、緑色及び青色の画素セルを駆動するために、
１番目に前記第１画素行の上部ゲートラインにスキャンパルスを供給し、
２番目に前記第２画素行の上部ゲートラインにスキャンパルスを供給し、
３番目に前記第１画素行の下部ゲートラインにスキャンパルスを供給し、
４番目に前記第２画素行の下部ゲートラインにスキャンパルスを供給し、
５番目に前記第３画素行の上部ゲートラインにスキャンパルスを供給し、
６番目に前記第４画素行の上部ゲートラインにスキャンパルスを供給し、
７番目に前記第３画素行の下部ゲートラインにスキャンパルスを供給し、
８番目に前記第４画素行の下部ゲートラインにスキャンパルスを供給する
ことを特徴とする請求項３に記載の液晶表示装置。
【請求項５】
前記ゲート駆動部は、互いに隣接した第１〜第４画素行の赤色、緑色及び青色の画素セルを駆動するために、
１番目に前記第１画素行の上部ゲートラインにスキャンパルスを供給し、
２番目に前記第２画素行の上部ゲートラインにスキャンパルスを供給し、
３番目に前記第１画素行の下部ゲートラインにスキャンパルスを供給し、
４番目に前記第２画素行の下部ゲートラインにスキャンパルスを供給し、
５番目に前記第３画素行の下部ゲートラインにスキャンパルスを供給し、
６番目に前記第４画素行の下部ゲートラインにスキャンパルスを供給し、
７番目に前記第３画素行の上部ゲートラインにスキャンパルスを供給し、
８番目に前記第４画素行の上部ゲートラインにスキャンパルスを供給することを特徴とする請求項３に記載の液晶表示装置。
【請求項６】
隣接した期間に出力される各スキャンパルス間のハイ区間が、互いにオーバーラップしていることを特徴とする請求項４または５に記載の液晶表示装置。
【請求項７】
マトリックス形状で配列された多数の単位画素が形成された液晶パネルと、前記各単位画素ごとに形成された赤色、緑色及び青色画素セルとを含む液晶表示装置の駆動方法において、
互いに隣接した各単位画素がブラックとホワイトを表示するように、前記各単位画素の各画素セルにデータを供給する段階と、
ホワイトを表示するための単位画素内の緑色画素セルが、自身に接続されたデータラインがブラックを表示する単位画素内の画素セルに該当するデータによって先に充電された条件下で、自身に該当するデータを受けるように、前記各単位画素内の各画素セルを駆動する段階と
を含むことを特徴とする液晶表示装置の駆動方法。
【発明の詳細な説明】
【技術分野】
【０００１】
本発明は、液晶表示装置に関するもので、特に、スーパーピクセルグレーパターン下での画質不良を防止できる液晶表示装置及びその駆動方法に関するものである。
【背景技術】
【０００２】
液晶表示装置は、ビデオ信号によって各液晶セルの光透過率を調節することで、画像を表示するものである。アクティブマトリックス（Ａｃｔｉｖｅ  Ｍａｔｒｉｘ）タイプの液晶表示装置は、画素セルごとにスイッチング素子が形成されるので、動画像を表示するのに有利である。スイッチング素子には、主に薄膜トランジスタ（Ｔｈｉｎ  Ｆｉｌｍ  Ｔｒａｎｓｉｓｔｏｒ：以下、“ＴＦＴ”という。）が用いられている。
【０００３】
上記のような液晶表示装置は、液晶パネルの画面状態を確認するための画質検査工程を必要とする。
【０００４】
図１は、スーパーピクセルグレーパターンを説明するための図である。
【０００５】
上記の画質検査工程を実行するためには、図１に示すように、液晶パネル１００の画面にスーパーピクセルグレー（Ｓｕｐｅｒ  Ｐｉｘｅｌ  Ｇｒａｙ）というパターンを表示する工程が必要である。
【０００６】
スーパーピクセルグレーパターンは、モザイクパターンと類似したパターンであり、このパターンによると、互いに隣接した各単位画素ＰＸＬは、ブラックとホワイトを表示する。図１において、ブラックを表示する単位画素ＰＸＬには、斜線が付いている。
【０００７】
作業者は、このようなスーパーピクセルグレーパターンを画面に表示した状態で、画面を確認することで液晶表示装置の画質テストを実行する。
【０００８】
各単位画素ＰＸＬは、赤色画素セルＲ、緑色画素セルＧ及び青色画素セルＢからなるが、これら画素セルＲ、Ｇ、Ｂのうち、緑色画素セルＧが最も優れた視感度を有している。すなわち、緑色画素セルＧから表示される画像が、人の目に最もよく視感される。
【０００９】
したがって、スーパーピクセルグレーパターンでの画質不良を防止するためには、赤色及び青色画素セルＲ、Ｂよりも、緑色画素セルＧ間の輝度を均等に維持させることが重要である。
【００１０】
すなわち、画面にスーパーピクセルグレーパターンを表示するためには、各画素セルが接続された各データラインにスーパーピクセルグレーパターンに対応するデータが供給されるが、このとき、緑色画素セルＧ間の輝度を均等に維持させるためには、緑色画素セルＧがデータを受けるときのデータラインの充電条件が、各緑色画素セルＧにおいて同一になるべきである。
【発明の開示】
【発明が解決しようとする課題】
【００１１】
しかしながら、従来は、緑色画素セルＧが互いに異なる充電条件下でデータを受けることで、緑色画素セルＧ間に輝度差が発生していた。これによって、従来は、スーパーピクセルグレーパターン下で画質不良が発生するという問題点があった。
【００１２】
本発明は、上記のような従来の問題点を解決するためになされたもので、その目的は、各緑色画素セルが同一の充電条件下でデータを受けることで、スーパーピクセルグレーパターン下での画質不良を防止できる液晶表示装置及びその駆動方法を提供することにある。
【課題を解決するための手段】
【００１３】
上記の目的を達成するための本発明に係る液晶表示装置は、マトリックス形状で配列された多数の単位画素が形成された液晶パネルと、前記各単位画素ごとに形成された赤色、緑色及び青色画素セルと、互いに隣接した各単位画素がブラックとホワイトを表示するように、前記各単位画素の各画素セルにデータを供給するデータ駆動部と、ホワイトを表示するための単位画素内の緑色画素セルが、自身に接続されたデータラインがブラックを表示する単位画素内の画素セルに該当するデータによって先に充電された条件下で、自身に該当するデータを受けるように、前記各単位画素内の各画素セルを駆動するゲート駆動部とを含むことを特徴とする。
【００１４】
また、上記のような目的を達成するための本発明に係る液晶表示装置の駆動方法は、マトリックス形状で配列された多数の単位画素が形成された液晶パネルと、前記各単位画素ごとに形成された赤色、緑色及び青色画素セルとを含む液晶表示装置の駆動方法において、互いに隣接した各単位画素がブラックとホワイトを表示するように、前記各単位画素の各画素セルにデータを供給する段階と、ホワイトを表示するための単位画素内の緑色画素セルが、自身に接続されたデータラインがブラックを表示する単位画素内の画素セルに該当するデータによって先に充電された条件下で、自身に該当するデータを受けるように、前記各単位画素内の各画素セルを駆動する段階とを含むことを特徴とする。
【発明の効果】
【００１５】
本発明に係る液晶表示装置及びその駆動方法には、次のような効果がある。
【００１６】
本発明において、ホワイトを表示する単位画素内の緑色画素セルは、常にブラックを表示する単位画素内の任意の画素セルが駆動された後で駆動される。すなわち、各緑色画素セルは、自身に接続されたデータラインがブラックを表示する単位画素内の画素セルに該当するデータによって先に充電された条件下で、自身に該当するデータを受ける。
【発明を実施するための最良の形態】
【００１７】
以下、添付された図面を参照して、本発明の実施の形態に係る液晶表示装置を詳細に説明する。
【００１８】
図２は、本発明の実施の形態に係る液晶表示装置を示した図である。本発明の実施の形態に係る液晶表示装置は、図２に示すように、画像を表示するための多数の画素セルＲ、Ｇ、Ｂが形成された液晶パネル２００と、この液晶パネル２００を駆動するためのゲート駆動部ＧＤ及びデータ駆動部ＤＤとを有する。
【００１９】
液晶パネル２００には、互いに交差する多数のゲートラインＧＬ１〜ＧＬｎと、多数のデータラインＤＬ１〜ＤＬｍが形成されている。
【００２０】
ゲート駆動部ＧＤは、各ゲートラインＧＬ１〜ＧＬｎを駆動するためのスキャンパルスを出力し、データ駆動部ＤＤは、各データラインＤＬ１〜ＤＬｍにデータを供給する。
【００２１】
データ駆動部ＤＤは、タイミングコントローラーから水平期間ごとに１ライン分ずつのデータ（１つの画素行に配列された各画素セルに供給されるデータ）を受け、この１ライン分のデータに対して予め設定された階調電圧を選択する。そして、この選択された１ライン分の階調電圧を各データラインに供給する。
【００２２】
本発明では、説明の便宜上、データラインＤＬ１〜ＤＬｍに供給された階調電圧をデータと総称する。
【００２３】
各ゲートラインＧＬ１〜ＧＬｎは、各画素行Ｌ１〜Ｌｐの上側及び下側に備わっている。
【００２４】
各データラインＤＬ１〜ＤＬｍは、各画素行Ｌ１〜Ｌｐに対して垂直に配列されており、各データラインＤＬ１〜ＤＬｍの両側には画素セルが接続される。
【００２５】
１つの画素行に備わった各画素セルのうち一部の画素セルは、上側に位置したゲートラインに共通に接続され、残りの画素セルは、下側に位置したゲートラインに共通に接続される。例えば、第１画素行Ｌ１内の各画素セルのうち、第１２ｃ＋１画素セル（ｃは、０を含む自然数）、第１２ｃ＋４画素セル、第１２ｃ＋５画素セル、第１２ｃ＋８画素セル、第１２ｃ＋９画素セル及び第１２ｃ＋１２画素セルは、第１ゲートラインに共通に接続されており、第１２ｃ＋２画素セル、第１２ｃ＋３画素セル、第１２ｃ＋６画素セル、第１２ｃ＋７画素セル、第１２ｃ＋１０画素セル及び第１２ｃ＋１１画素セルは、第２ゲートラインに共通に接続されている。
【００２６】
各画素列Ｒ１〜Ｒｑには、同一の色相を表示する画素セルが位置する。具体的に、第３ｋ＋１画素列（ｋは、０を含む自然数）には、赤色画像を表示するための赤色画素セルＲが配列され、第３ｋ＋２画素列には、緑色画像を表示するための緑色画素セルＧが配列され、第３ｋ＋３画素列には、青色画像を表示するための青色画素セルＢが配列される。
【００２７】
図面に示していないが、１つの画素セルは、ゲートラインからのスキャンパルスに応答して、データラインからのデータをスイッチングする薄膜トランジスタと、この薄膜トランジスタからのデータを受ける画素電極と、この画素電極と対向して位置した共通電極と、画素電極と共通電極との間に位置し、これら２つの電極の間で発生する電界によって光透過量を調節する液晶層とを含む。
【００２８】
同一の画素行に位置し、互いに隣接した各画素セルは、互いに異なる極性のデータを受けて画像を表示する。例えば、第１画素行Ｌ１に位置し、第１データラインＤＬ１の両側に接続された赤色画素セルＲ及び青色画素セルＧは、それぞれ正極性と負極性を表している。
【００２９】
同一の画素列に位置し、互いに隣接した各画素セルは、２つの画素セル単位で互いに異なる極性のデータを受けて画像を表示する。例えば、第１画素列Ｒ１に位置して第１ゲートラインＧＬ１に接続された赤色画素セルＲと、第１画素列Ｒ１に位置して第３ゲートラインＧＬ３に接続された赤色画素セルＲは、全て正極性を表している。そして、第１画素列Ｒ１に位置して第５ゲートラインＧＬ５に接続された赤色画素セルＲと、第１画素列Ｒ１に位置して第７ゲートラインＧＬ７に接続された赤色画素セルＲは、全て負極性を表している。
【００３０】
このために、データ駆動部ＤＤは、各データラインＤＬ１〜ＤＬｍに正極性データと負極性データを数期間単位で交互に供給するとともに、互いに隣接したデータラインに相反した極性のデータを供給する。すなわち、データ駆動部ＤＤは、４ドット方式でデータを出力する。
【００３１】
同一の画素行に位置し、互いに隣接した３個の画素セル（赤色画素セルＲ、緑色画素セルＧ、青色画素セルＢ）は、１つの単位画素セルＰＸＬをなす。この単位画素セルＰＸＬは、赤色画素セルＲからの赤色画像と、緑色画素セルＧからの緑色画像と、青色画素セルＢからの青色画像とを組み合わせることで、１つの単位画像を表示する。
【００３２】
以下、液晶パネル２００の画面にスーパーピクセルグレーパターンを表示するための本発明の実施の形態に係る液晶表示装置の動作方法を説明する。
【００３３】
図３は、図２の第１〜第１６単位画素の駆動順序を示した図であり、図４は、図３のデータライン及びゲートラインに供給される各種の信号を示した波形図である。
【００３４】
本発明の実施の形態に係る液晶表示装置は、図３に示すように、１２＊４行列形状で配列された４８個の画素セルからなる単位表示部を多数個含んでいる。これら４８個の画素セルは、第１〜第１６単位画素をなす。
【００３５】
第１、第３、第６、第８、第９、第１１、第１４及び第１６単位画素と、第２、第４、第５、第７、第１０、第１２、第１３及び第１５単位画素は、互いに異なる画像を表示する。例えば、第１、第３、第６、第８、第９、第１１、第１４及び第１６単位画素は、ホワイトを表示し、第２、第４、第５、第７、第１０、第１２、第１３及び第１５単位画素は、ブラックを表示する。
【００３６】
以下、各データラインＤＬ１〜ＤＬｍに接続された画素セルの駆動順序を説明する。
【００３７】
互いに隣接した画素行に位置し、奇数番目のデータラインに共通に接続された４個の画素セルにおいて、上側の画素行に位置し、奇数番目のデータラインの左側に位置した画素セルが１番目に駆動され、下側の画素行に位置し、奇数番目のデータラインの左側に位置した画素セルが２番目に駆動され、上側の画素行に位置し、奇数番目のデータラインの右側に位置した画素セルが３番目に駆動され、下側の画素行に位置し、奇数番目のデータラインの右側に位置した画素セルが４番目に駆動される。
【００３８】
例えば、第１単位画素に位置した赤色画素セル及び緑色画素セルと、第５単位画素に位置した赤色画素セル及び緑色画素セルは、第１データラインに共通に接続されているが、これら４個の画素セルのうち第１単位画素の赤色画素セルが１番目に駆動され、第５単位画素の赤色画素セルが２番目に駆動され、第１単位画素の緑色画素セルが３番目に駆動され、第５単位画素の緑色画素セルが４番目に駆動される。
【００３９】
一方、互いに隣接した画素行に位置し、偶数番目のデータラインに共通に接続された４個の画素セルにおいて、上側の画素行に位置し、偶数番目のデータラインの右側に位置した画素セルが１番目に駆動され、下側の画素行に位置し、偶数番目のデータラインの右側に位置した画素セルが２番目に駆動され、上側の画素行に位置し、偶数番目のデータラインの左側に位置した画素セルが３番目に駆動され、下側の画素行に位置し、偶数番目のデータラインの左側に位置した画素セルが４番目に駆動される。
【００４０】
例えば、第３単位画素に位置した赤色画素セル及び緑色画素セルと、第７単位画素に位置した赤色画素セル及び緑色画素セルは、第４データラインに共通に接続されているが、これら４個の画素セルのうち第３単位画素の緑色画素セルが１番目に駆動され、第７単位画素の緑色画素セルが２番目に駆動され、第３単位画素の赤色画素セルが３番目に駆動され、第７単位画素の赤色画素セルが４番目に駆動される。
【００４１】
これによって、ホワイトを表示する単位画素に含まれた緑色画素セルは、ブラックを表示する単位画素内の赤色画素セルが駆動された後で駆動される。換言すると、ホワイトを表示する単位画素の緑色画素セルは、ブラックを表示する単位画素の赤色画素セルがデータを受ける期間のすぐ次の期間にデータラインからデータを受ける。
【００４２】
例えば、ホワイトを表示する第１単位画素ＰＸＬ１に含まれた緑色画素セルＧ１は、ブラックを表示する第５単位画素ＰＸＬ５内の赤色画素セルが駆動された後で駆動される。換言すると、第１単位画素の緑色画素セルは、第５単位画素の赤色画素セルがデータを受ける期間のすぐ次の期間に第１データラインＤＬ１からデータを受ける。
【００４３】
各ゲートラインＧＬ１〜ＧＬ８は、ゲート駆動部ＧＤからのスキャンパルスＶｏｕｔ１〜Ｖｏｕｔ８によって順次駆動される。
【００４４】
第８ａ＋１ゲートライン〜第８ａ＋８ゲートラインは、第８ａ＋１ゲートライン、第８ａ＋３ゲートライン、第８ａ＋２ゲートライン、第８ａ＋４ゲートライン、第８ａ＋５ゲートライン、第８ａ＋７ゲートライン、第８ａ＋６ゲートライン及び第８ａ＋８ゲートラインの順に駆動される。
【００４５】
例えば、第１〜第８ゲートラインＧＬ１〜ＧＬ８は、第１ゲートラインＧＬ１、第３ゲートラインＧＬ３、第２ゲートラインＧＬ２、第４ゲートラインＧＬ４、第５ゲートラインＧＬ５、第７ゲートラインＧＬ７、第６ゲートラインＧＬ６及び第８ゲートラインＧＬ８の順に駆動される。
【００４６】
各スキャンパルスＶｏｕｔ１〜Ｖｏｕｔ８は、図４の（ａ）に示すように、順次出力されることもある。また、各スキャンパルスＶｏｕｔ１〜Ｖｏｕｔ８は、図４の（ｂ）に示すように、互いに隣接したスキャンパルスのハイ区間が互いにオーバーラップするように出力されることもある。
【００４７】
一方、図３の構造を有する液晶表示装置において、１つのデータラインに供給されるデータ信号は、図４に示すように、４期間単位で極性が反転される。
【００４８】
図５は、図２の第１〜第１６単位画素の他の駆動順序を示した図であり、図６は、図５のデータライン及びゲートラインに供給される各種の信号を示した波形図である。
【００４９】
本発明の実施の形態に係る液晶表示装置は、図５に示すように、１２＊４行列形態で配列された４８個の画素セルＲ、Ｇ、Ｂからなる単位表示部を多数個含んでいる。４８個の画素セルＲ、Ｇ、Ｂは、第１〜第１６単位画素ＰＸＬ１〜ＰＸＬ１６をなす。
【００５０】
第１、第３、第６、第８、第９、第１１、第１４及び第１６単位画素ＰＸＬ１、ＰＸＬ３、ＰＸＬ６、ＰＸＬ８、ＰＸＬ９、ＰＸＬ１１、ＰＸＬ１４、ＰＸＬ１６と、第２、第４、第５、第７、第１０、第１２、第１３及び第１５単位画素ＰＸＬ２、ＰＸＬ４、ＰＸＬ５、ＰＸＬ７、ＰＸＬ１０、ＰＸＬ１２、ＰＸＬ１３、ＰＸＬ１５は、互いに異なる画像を表示する。例えば、第１、第３、第６、第８、第９、第１１、第１４及び第１６単位画素ＰＸＬ１、ＰＸＬ３、ＰＸＬ６、ＰＸＬ８、ＰＸＬ９、ＰＸＬ１１、ＰＸＬ１４、ＰＸＬ１６は、ホワイトを表示し、第２、第４、第５、第７、第１０、第１２、第１３及び第１５単位画素ＰＸＬ２、ＰＸＬ４、ＰＸＬ５、ＰＸＬ７、ＰＸＬ１０、ＰＸＬ１２、ＰＸＬ１３、ＰＸＬ１５は、ブラックを表示する。
【００５１】
以下、各データラインＤＬ１〜ＤＬｍに接続された画素セルの駆動順序を説明する。
【００５２】
互いに隣接した第４ｄ＋１画素行（ｄは、０を含む自然数）と第４ｄ＋２画素行に位置し、奇数番目のデータラインに共通に接続された４個の画素セルにおいて、上側の画素行に位置し、奇数番目のデータラインの左側に位置した画素セルが１番目に駆動され、下側の画素行に位置し、奇数番目のデータラインの左側に位置した画素セルが２番目に駆動され、上側の画素行に位置し、奇数番目のデータラインの右側に位置した画素セルが３番目に駆動され、下側の画素行に位置し、奇数番目のデータラインの右側に位置した画素セルが４番目に駆動される。
【００５３】
例えば、第１単位画素ＰＸＬ１に位置した赤色画素セルＲ及び緑色画素セルＧと、第５単位画素ＰＸＬ５に位置した赤色画素セルＲ及び緑色画素セルＧは、第１データラインＤＬ１に共通に接続されているが、これら４個の画素セルのうち第１単位画素ＰＸＬ１の赤色画素セルＲが１番目に駆動され、第５単位画素ＰＸＬ５の赤色画素セルＲが２番目に駆動され、第１単位画素ＰＸＬ１の緑色画素セルＧが３番目に駆動され、第５単位画素ＰＸＬ５の緑色画素セルＧが４番目に駆動される。
【００５４】
互いに隣接した第４ｄ＋１画素行と第４ｄ＋２画素行に位置し、偶数番目のデータラインに共通に接続された４個の画素セルにおいて、上側の画素行に位置し、偶数番目のデータラインの右側に位置した画素セルが１番目に駆動され、下側の画素行に位置し、偶数番目のデータラインの右側に位置した画素セルが２番目に駆動され、上側の画素行に位置し、偶数番目のデータラインの左側に位置した画素セルが３番目に駆動され、下側の画素行に位置し、偶数番目のデータラインの左側に位置した画素セルが４番目に駆動される。
【００５５】
例えば、第３単位画素ＰＸＬ３に位置した赤色画素セルＲ及び緑色画素セルＧと、第７単位画素ＰＸＬ７に位置した赤色画素セルＲ及び緑色画素セルＧは、第４データラインＤＬ４に共通に接続されているが、これら４個の画素セルのうち第３単位画素ＰＸＬ３の緑色画素セルＧが１番目に駆動され、第７単位画素ＰＸＬ７の緑色画素セルＧが２番目に駆動され、第３単位画素ＰＸＬ３の赤色画素セルＲが３番目に駆動され、第７単位画素ＰＸＬ７の赤色画素セルＲが４番目に駆動される。
【００５６】
互いに隣接した第４ｄ＋３画素行と第４ｄ＋４画素行に位置し、奇数番目のデータラインに共通に接続された４個の画素セルにおいて、上側の画素行に位置し、奇数番目のデータラインの右側に位置した画素セルが１番目に駆動され、下側の画素行に位置し、奇数番目のデータラインの右側に位置した画素セルが２番目に駆動され、上側の画素行に位置し、奇数番目のデータラインの左側に位置した画素セルが３番目に駆動され、下側の画素行に位置し、奇数番目のデータラインの左側に位置した画素セルが４番目に駆動される。
【００５７】
例えば、第９単位画素ＰＸＬ９に位置した赤色画素セルＲ及び緑色画素セルＧと、第１３単位画素ＰＸＬ１３に位置した赤色画素セルＲ及び緑色画素セルＧは、第１データラインＤＬ１に共通に接続されているが、これら４個の画素セルのうち第９単位画素ＰＸＬ９の緑色画素セルＧが１番目に駆動され、第１３単位画素ＰＸＬ１３の緑色画素セルＧが２番目に駆動され、第９単位画素ＰＸＬ９の赤色画素セルＲが３番目に駆動され、第１３単位画素ＰＸＬ１３の赤色画素セルＲが４番目に駆動される。
【００５８】
互いに隣接した第４ｄ＋３画素行と第４ｄ＋４画素行に位置し、偶数番目のデータラインに共通に接続された４個の画素セルにおいて、上側の画素行に位置し、偶数番目のデータラインの左側に位置した画素セルが１番目に駆動され、下側の画素行に位置し、偶数番目のデータラインの左側に位置した画素セルが２番目に駆動され、上側の画素行に位置し、偶数番目のデータラインの右側に位置した画素セルが３番目に駆動され、下側の画素行に位置し、偶数番目のデータラインの右側に位置した画素セルが４番目に駆動される。
【００５９】
例えば、第１１単位画素ＰＸＬ１１に位置した赤色画素セルＲ及び緑色画素セルＧと、第１５単位画素ＰＸＬ１５に位置した赤色画素セルＲ及び緑色画素セルＧは、第４データラインＤＬ４に共通に接続されているが、これら４個の画素セルのうち第１１単位画素ＰＸＬ１１の赤色画素セルＲが１番目に駆動され、第１５単位画素ＰＸＬ１５の赤色画素セルＲが２番目に駆動され、第１１単位画素ＰＸＬ１１の緑色画素セルＧが３番目に駆動され、第１５単位画素ＰＸＬ１５の緑色画素セルＧが４番目に駆動される。
【００６０】
これによって、ホワイトを表示する単位画素に含まれた緑色画素セルＧは、ブラックを表示する単位画素内の赤色画素セルＲが駆動された後で駆動される。換言すると、ホワイトを表示する単位画素の緑色画素セルＧは、ブラックを表示する単位画素の赤色画素セルＲがデータを受ける期間のすぐ次の期間にデータラインからデータを受ける。
【００６１】
例えば、ホワイトを表示する第９単位画素ＰＸＬ９に含まれた緑色画素セルＧは、ブラックを表示する第５単位画素ＰＸＬ５内の緑色画素セルＧが駆動された後で駆動される。換言すると、第９単位画素ＰＸＬ９の緑色画素セルＧは、第５単位画素ＰＸＬ５の緑色画素セルＧがデータを受ける期間のすぐ次の期間に第１データラインＤＬ１からデータを受ける。
【００６２】
各ゲートラインＧＬ１〜ＧＬ８は、ゲート駆動部ＧＤからの各スキャンパルスＶｏｕｔ１〜Ｖｏｕｔ８によって順次駆動される。
【００６３】
第８ａ＋１ゲートライン〜第８ａ＋８ゲートラインは、第８ａ＋１ゲートライン、第８ａ＋３ゲートライン、第８ａ＋２ゲートライン、第８ａ＋４ゲートライン、第８ａ＋６ゲートライン、第８ａ＋８ゲートライン、第８ａ＋５ゲートライン及び第８ａ＋７ゲートラインの順に駆動される。
【００６４】
例えば、第１〜第８ゲートラインＧＬ１〜ＧＬ８は、第１ゲートラインＧＬ１、第３ゲートラインＧＬ３、第２ゲートラインＧＬ２、第４ゲートラインＧＬ４、第６ゲートラインＧＬ６、第８ゲートラインＧＬ８、第５ゲートラインＧＬ５及び第７ゲートラインＧＬ７の順に駆動される。
【００６５】
各スキャンパルスＶｏｕｔ１〜Ｖｏｕｔ８は、図６の（ａ）に示すように、順次出力されることもある。また、各スキャンパルスＶｏｕｔ１〜Ｖｏｕｔ８は、図６の（ｂ）に示すように、互いに隣接したスキャンパルスのハイ区間が互いにオーバーラップするように出力されることもある。
【００６６】
一方、図５の構造を有する液晶表示装置において、１つのデータラインに供給されるデータ信号は、図６に示すように、２期間単位で極性が反転される。
【００６７】
このように、本発明では、ホワイトを表示する単位画素ＰＸＬ内の緑色画素セルＧは、常にブラックを表示する単位画素ＰＸＬ内の任意の画素セルが駆動された後で駆動される。換言すると、各緑色画素セルＧは、自身に接続されたデータラインがブラックを表示する単位画素内の画素セルに該当するデータによって充電された条件下で、自身に該当するデータを受ける。
【００６８】
ホワイトを表示する全ての単位画素ＰＸＬ内の緑色画素セルＧは、上記のような条件下で自身に該当するデータを受ける。したがって、本発明では、緑色画素セルＧ間の輝度差を防止することができ、スーパーピクセルグレーパターン下での画質不良を防止することができる。
【図面の簡単な説明】
【００６９】
【図１】スーパーピクセルグレーパターンを説明するための図である。
【図２】本発明の実施例に係る液晶表示装置を示した図である。
【図３】図２の第１〜第７単位画素の駆動順序を示した図である。
【図４】図３のデータライン及びゲートラインに供給される各種の信号を示した波形図である。
【図５】図２の第１〜第８単位画素の他の駆動順序を示した図である。
【図６】図５のデータライン及びゲートラインに供給される各種の信号を示した波形図である。
【符号の説明】
【００７０】
１００、２００  液晶パネル、ＤＤ  データ駆動部、ＤＬ１〜ＤＬｍ  データライン、ＧＤ  ゲート駆動部、ＧＬ１〜ＧＬｎ  ゲートライン、Ｌ１〜Ｌｐ  画素行、Ｒ１〜Ｒｑ  画素列、Ｒ  赤色画素セル、Ｇ  緑色画素セル、Ｂ  青色画素セル、ＰＸＬ  単位画素セル。
【図１】
2008268867.tif 000003
【図２】
2008268867.tif 000004
【図３】
2008268867.tif 000005
【図４】
2008268867.tif 000006
【図５】
2008268867.tif 000007
【図６】
2008268867.tif 000008